(57)【要約】【課題】手動操作が重くなるということがない便器洗浄装置を提供する。【解決手段】手動レバーと、手動レバーに螺合された手動軸と、動作軸と、モータと、減速ギヤと、減速ギヤを介してモータに接続された駆動軸と、筐体からなり、便器のロータンクに取付け、手動レバーの回転操作若しくはモータ駆動により動作軸に鎖を介して連結された排水弁を引上げることを目的とした便器洗浄装置において、手動レバーと動作軸は直結され、駆動軸と動作軸は手動操作に必要な角度以上の空転角を介して接続されるようにした。【選択図】　図３
2004124594.tif 000002
【特許請求の範囲】
【請求項１】
手動レバーと、手動レバーに螺合された手動軸と、動作軸と、モータと、減速ギヤと、減速ギヤを介してモータに接続された駆動軸と、筐体からなり、便器のロータンクに取付け、手動レバーの回転操作若しくはモータ駆動により動作軸に鎖を介して連結された排水弁を引上げることを目的とした便器洗浄装置において、手動レバーと動作軸は直結され、駆動軸と動作軸は手動操作に必要な角度以上の空転角を介して接続されることを特徴とした便器洗浄装置。
【請求項２】
手動レバーと、手動レバーに螺合された手動軸と、動作軸と、モータと、減速ギヤと、減速ギヤを介してモータに接続された駆動軸と、筐体からなり、便器のロータンクに取付け、手動レバーの回転操作若しくはモータ駆動により動作軸に鎖を介して連結された排水弁を引上げることを目的とした便器洗浄装置において、手動レバーの先端に錘を具備することを特徴とした便器洗浄装置。
【請求項３】
手動レバーと、手動レバーに螺合された手動軸と、動作軸と、モータと、減速ギヤと、減速ギヤを介してモータに接続された駆動軸と、筐体からなり、便器のロータンクに取付け、手動レバーの回転操作若しくはモータ駆動により動作軸に鎖を介して連結された排水弁を引上げることを目的とした便器洗浄装置において、手動レバーに比重３以上の高比重樹脂を用いることを特徴とした便器洗浄装置。
【請求項４】
請求項２若しくは請求項３記載の便器洗浄装置において、駆動軸と動作軸はモータ回転時のみ接続されるクラッチ機構を具備した便器洗浄装置。
【発明の詳細な説明】
【０００１】
【発明の属する技術分野】
本発明は、便器のロータンクに取付け、排水弁の引上げを手動・電動双方で行うことができる便器洗浄装置の構造に関するものである。
【０００２】
【従来の技術】
従来の便器洗浄装置は、図６で示されるように、手動レバー３０と手動軸３１と動作軸３２とモータと減速ギヤと減速ギヤを介してＤＣモータに接続された駆動軸と筐体からなり、形状・仕様が限定された特定のロータンクへ取付けることを目的として開発された。通常はリモコンの洗浄開始釦を押すと、ＤＣモータが回転し、減速ギヤを介して駆動軸と動作軸３２が回転し、動作軸３２に取付けられた玉鎖３３が引き上げられて排水弁が開き、便器洗浄が行われる。
動作軸３２・駆動軸・手動軸３１はともに回転する構造になっているので、停電時などＤＣモータが使用できない状況であっても、手動レバーを介して手動軸３１を回せば動作軸３２が回転し、同じように洗浄動作を行うことができる（例えば、特許文献１参照）。
【０００３】
【特許文献１】
特開２００１−６５０２８号公報
【０００４】
【発明が解決しようとする課題】
従来の便器洗浄装置は手動軸、駆動軸および動作軸が直結されているため、手動レバーを用いて手動軸を回すとギヤを介してＤＣモータに接続された駆動軸も同時に動く。すると必然的にＤＣモータを回すことになり、手動操作には通常の排水弁引上トルクに加え、ＤＣモータのコギングトルクが付加されるので手動操作が重くなるという欠点があった。
【０００５】
本発明は、上記課題を解決するためになされたもので、本発明は、手動操作が重くなるということがない便器洗浄装置を提供することを目的とする。
【０００６】
【課題を解決するための手段及び作用、効果】
上記課題を解決するために、請求項１の発明においては、駆動軸と手動軸が手動操作に必要な角度以上の空転角を介して接続されているため、手動軸回転時にも駆動軸は空転して回らず、よってＤＣモータも回らないため、手動操作としては排水弁引上げに必要なトルクのみですむ。
【０００７】
ただしこの場合、手動軸と駆動軸はともに回らないので、手動軸にも駆動軸とは別に戻しばねを設けないと、排水動作完了後、手動軸が取り残されて原位置に戻らない不具合が発生することがある。
【０００８】
そこで請求項２の発明によると、手動レバー先端に錘がついているため、排水動作完了後、手動レバーに働く大きな重力によって手動レバーと手動軸が原位置に戻るので手動軸を原位置に戻すための戻しばねが不要となる。
【０００９】
請求項３の発明も、手動レバー自体の質量が大きいため、請求項２の発明と同様の効果が得られる。
【００１０】
請求項４の発明においては、手動軸と動作軸は一体に動くが、手動操作時には動作軸がクラッチにより他軸と切り離されているため、手動軸回転時に駆動軸が回らず、よってＤＣモータも回らないため、手動操作としては請求項１の発明と同様、排水弁引上げに必要なトルクのみですむ。またこの構成では駆動軸と動作軸が縁切りされているので駆動軸を原位置に戻すばねも不要となり、ＤＣモータはばねの巻き取りトルクを節約できるから、結果としてモータの出力を低減することができる。
【００１１】
【発明の実施の形態】
以下図面を参照して実施例について説明する。
【００１２】
図１は本発明の便器洗浄装置の分解構成図である。１は手動レバー、２は手動レバー固定用ネジ、３は便器洗浄ユニット７本体若しくは延長取付部材５をロータンクに取付けるためのナット、４はロータンクが傾斜している際に使用される傾斜ワッシャ、５は便器洗浄ユニット本体７に一端が固定され、他端に固定用ネジ部を有する延長取付部材、６は延長取付部材５内に回動自在に嵌装され、手動レバー１の回動を便器洗浄ユニット本体７に伝達するための延長駆動軸、７は内部に電動モータ及び伝達用ギア列を有する便器洗浄ユニット本体、８は便器洗浄ユニット７から突出する動作軸、９は前記動作軸８に取付けられる伝達軸、１１は伝達軸９に取付けられる玉鎖取付レバー、１４は玉鎖取付レバーを伝達軸９に回転不能に取付けるためのピンである。
【００１３】
図２はロータンクに本発明の便器洗浄装置を取り付けた状態の正面図である。図では本体７に設けられた角ダボをロータンク側面に穿孔された角穴にロータンク内側から挿入し、ロータンク外側からナット３を締めこむことにより本体７がロータンクに固定されている。
【００１４】
図示しないリモコンの便器洗浄スイッチを押すと、本体７に内蔵された駆動モータに通電され、伝達ギアを介して動作軸８に回転トルクが伝わる。動作軸８には伝達軸９が組み付けられており、その先端に付いている玉鎖取付レバー１１が回転し、玉鎖取付レバー１１に玉鎖２１で係合された排水弁２０が引上げられる。
【００１５】
図４では手動操作に必要な動作角１２０度に対し、ギヤを介してモータに接続された駆動軸８が空転角１３０度で組み合わせられている。よって手動軸を最大角回しても駆動軸は回らず、手動操作が重くなることがない。
【００１６】
図５では手動レバー１の先端に黄銅棒３５が埋め込まれているので、排水弁駆動操作でレバーが略９０度回転した後、動力が切れた段階で重力によりレバーが０度の位置に戻る仕組みとなっている。また図４では手動レバーをタングステン入りポリプロピレンの高比重樹脂（比重６）で形成しても、図５の構成と同様の効果が得られる。
【００１７】
図６は本体７にクラッチ機構を内蔵した例を示している。クラッチの電源はＤＣモータの電源とパラレルに接続されているので、ＤＣモータへの通電時にのみクラッチに電源が入り、ＤＣモータと動作軸２７が機械的に接続される。ＤＣモータ非通電時はクラッチが切れ、ＤＣモータと動作軸２７が機械的に切り離されるので、手動で動作軸２７を回転させる場合、必要トルクが小さくてすむ。
【図面の簡単な説明】
【図１】本発明の便器洗浄装置の分解構成図
【図２】ロータンクに本発明の便器洗浄装置を取り付けた状態の正面図
【図３】手動操作時の便器洗浄ユニット本体７内の駆動軸の動作を説明するために説明図
【図４】本発明の手動レバー１の斜視図
【図５】本体７にクラッチ機構を内蔵した本発明の便器洗浄装置の減速ギア列及びクラッチ機構を説明するための断面図
【図６】従来の便器洗浄装置の断面図
【符号の説明】
１…手動レバー、２…ねじ、３…ナット、４…傾斜ワッシャ、
５…延長用取付部材、６…延長駆動軸、７…便器洗浄ユニット本体、８…動作軸、
９…伝達軸、１０…スペーサ、１１…玉鎖取付レバー、１２…玉鎖取付レバー本体
１３…小用レバー、１４…固定用ピン、１５…固定用ピン、
１６…玉鎖取付レバー（隅付タンク用）、１７…伝達軸（減速ギア付）、
１８…アーム、２０…排水弁、２１…玉鎖、２２…ボールタップ、２３…フロート
２４…貯水タンク、２５…スイッチングトランジスタ
３０…手動レバー、３１…手動軸、３２…動作軸、３３…玉鎖
【図１】
2004124594.tif 000003
【図２】
2004124594.tif 000004
【図３】
2004124594.tif 000005
【図４】
2004124594.tif 000006
【図５】
2004124594.tif 000007
【図６】
2004124594.tif 000008